(57)【特許請求の範囲】
【請求項１】
集合住宅の集合玄関に設置される集合玄関機（１）と、前記集合住宅の複数の住戸にそれぞれ設置され、前記集合玄関機からの呼び出しに応答して通話を成立させるための居室親機（２ａ、２ｂ、２ｃ、・・・）と、前記集合玄関機、前記居室親機をそれぞれ制御するための制御機（６）とを有し、
前記制御機は、前記集合住宅の管理室に設置される管理室親機（３）を接続可能であり、前記管理室親機又は外部送信装置（４）からの放送信号を受信して前記居室親機にて一斉放送を行うための自動放送装置（６００）が当該制御機の内部、或いは当該制御機と別途に設けられ、
前記制御機には、前記一斉放送の重要度を識別し、識別された識別重要度情報を当該一斉放送の開始時に前記居室親機に送信するための制御機ＣＰＵ（６０５）が備えられ、
前記居室親機には、前記一斉放送を行うための報知部（２００、２０７）と、自居室親機が希望する一斉放送の重要度を設定するための設定部（２０９）と、前記設定部にて設定された設定重要度情報と前記制御機から伝送されてくる識別重要度情報とを照合し、前記識別重要度情報の当該重要度が前記設定重要度情報の当該重要度と比較して低い場合に前記報知部での前記一斉放送の動作を無効にするための居室ＣＰＵ（２１３）とを備えたことを特徴とする集合住宅インターホンシステム。
【請求項２】
集合住宅の集合玄関に設置される集合玄関機（１）と、前記集合住宅の複数の住戸にそれぞれ設置され、前記集合玄関機からの呼び出しに応答して通話を成立させるための居室親機（２ａ、２ｂ、２ｃ、・・・）と、前記集合玄関機、前記居室親機をそれぞれ制御するための制御機（６）とを有し、
前記制御機は、前記集合住宅の管理室に設置される管理室親機（３）を接続可能であり、前記管理室親機又は外部送信装置（４）からの放送信号を受信して前記居室親機にて一斉放送を行うための自動放送装置（６００）が当該制御機の内部、或いは当該制御機と別途に設けられ、
前記制御機には、前記一斉放送の重要度を識別し、識別された識別重要度情報を当該一斉放送の開始時に前記居室親機に送信するための制御機ＣＰＵ（６０５）が備えられ、
前記居室親機には、前記一斉放送を行うための報知部（２００、２０７）と、自居室親機が希望する一斉放送の重要度を設定するための設定部（２０９）と、前記設定部にて設定された設定重要度情報と前記制御機から伝送されてくる識別重要度情報とを照合し、前記識別重要度情報の当該重要度が前記設定重要度情報の当該重要度と比較して低い場合に前記報知部での出力音量を低下させるための居室ＣＰＵ（２１３）とを備えたことを特徴とする集合住宅インターホンシステム。
【請求項３】
前記居室親機の設定部にて設定される設定重要度情報は、日中、夜間帯等の時系列に対応させた重度度に区分されることを特徴とする請求項１又は請求項２記載の集合住宅インターホンシステム。
【請求項４】
前記居室親機の設定部にて設定される設定重要度情報は、前記自動放送装置にて受信される前記管理室親機からの放送信号による識別重要度情報又は前記外部送信装置からの放送信号による識別重要度情報の相違に対応させた重度度に区分されることを特徴とする請求項１又は請求項２記載の集合住宅インターホンシステム。
【請求項５】
前記外部送信装置からの放送信号は、気象庁等の情報提供機関から配信される緊急地震情報であり、
前記緊急地震情報の重要度は、地震の震度に比例して高くなることを特徴とする請求項１乃至請求項４のうち何れか１項記載の集合住宅インターホンシステム。
【発明の詳細な説明】
【技術分野】
【０００１】
本発明は、マンション等の集合住宅に設置される集合住宅インターホンシステムに係り、特に、居住者の希望に応じた一斉放送を行うことができる集合住宅インターホンシステムに関する。
【背景技術】
【０００２】
従来から、一斉放送が行われる集合住宅インターホンシステムとして、住戸機を使用した居住者の選択により、一斉放送の動作を、他の通話、呼び出し等の動作と比較して優先させることができる集合住宅用インターホンシステムが開示されている（例えば、特許文献１を参照。）。
【０００３】
この集合住宅用インターホンシステムによれば、ドアホン子器との通話中に一斉放送が開始された場合、ドアホン子器との通話を継続するか、若しくは一斉放送の受信に切り換えるかを、住戸機を使用した居住者が選択できる。また、一斉放送の受信中のドアホン子器からの呼び出しがあった場合、一斉放送の受信を継続するか、若しくはドアホン子器との通話に切り換えるかを、住戸機を使用した居住者が選択できる。
【０００４】
【特許文献１】特開２００６−３０４２２２号公報（段落［００１１］、［００１２］等）
【発明の開示】
【発明が解決しようとする課題】
【０００５】
背景技術に記載した特許文献１の集合住宅用インターホンシステムによれば、一斉放送の動作について他の通話、呼び出し等の動作と比較し、優先させるか否かを選択する機能は備えられているものの、この選択は、一斉放送の重要度に対応させて行われるものでないため、例えば、ドアホン子器との通話と比較して重要度が高いとされる地震等の緊急性を有する一斉放送を聞き逃す虞があり、迅速な対応が困難となり安全性を確保できないことがあった。また、地震等の緊急性を有する一斉放送を行うにあたっては、震度や時間帯の相違に応じて、その一斉放送を居住者が希望しない場合や当該一斉放送の出力音量を低下させたいと希望することがあるものの、これらの希望に対応する手段が何ら備えられていなかった。
【０００６】
本発明は、これらの難点を解消するためになされたもので、居住者が希望する一斉放送の重要度に対応させて、居室親機にて行われる一斉放送の動作を制御することができる集合住宅インターホンシステムを提供することを目的としている。
【課題を解決するための手段】
【０００７】
前述の目的を達成するため、本発明の第１の態様である集合住宅インターホンシステムは、集合住宅の集合玄関に設置される集合玄関機と、集合住宅の複数の住戸にそれぞれ設置され、集合玄関機からの呼び出しに応答して通話を成立させるための居室親機と、集合玄関機、居室親機をそれぞれ制御するための制御機とを有しているものである。制御機は、集合住宅の管理室に設置される管理室親機を接続可能であり、管理室親機又は外部送信装置からの放送信号を受信して居室親機にて一斉放送を行うための自動放送装置が当該制御機の内部、或いは当該制御機と別途に設けられている。制御機には、一斉放送の重要度を識別し、識別された識別重要度情報を当該一斉放送の開始時に居室親機に送信するための制御機ＣＰＵが備えられている。居室親機には、一斉放送を行うための報知部と、自居室親機が希望する一斉放送の重要度を設定するための設定部と、設定部にて設定された設定重要度情報と制御機から伝送されてくる識別重要度情報とを照合し、識別重要度情報の当該重要度が設定重要度情報の当該重要度と比較して低い場合に報知部での一斉放送の動作を無効にするための居室ＣＰＵとを備えている。
【０００８】
また、本発明の第２の態様である集合住宅インターホンシステムは、集合住宅の集合玄関に設置される集合玄関機と、集合住宅の複数の住戸にそれぞれ設置され、集合玄関機からの呼び出しに応答して通話を成立させるための居室親機と、集合玄関機、居室親機をそれぞれ制御するための制御機とを有しているものである。制御機は、集合住宅の管理室に設置される管理室親機を接続可能であり、管理室親機又は外部送信装置からの放送信号を受信して居室親機にて一斉放送を行うための自動放送装置が当該制御機の内部、或いは当該制御機と別途に設けられている。制御機には、一斉放送の重要度を識別し、識別された識別重要度情報を当該一斉放送の開始時に居室親機に送信するための制御機ＣＰＵが備えられている。居室親機には、一斉放送を行うための報知部と、自居室親機が希望する一斉放送の重要度を設定するための設定部と、設定部にて設定された設定重要度情報と制御機から伝送されてくる識別重要度情報とを照合し、識別重要度情報の当該重要度が設定重要度情報の当該重要度と比較して低い場合に報知部での出力音量を低下させるための居室ＣＰＵとを備えている。
【０００９】
また、本発明の第３の態様である集合住宅インターホンシステムは、本発明の第１の態様又は第２の態様において、居室親機の設定部にて設定される設定重要度情報は、日中、夜間帯等の時系列に対応させた重度度に区分されるものである。
【００１０】
また、本発明の第４の態様である集合住宅インターホンシステムは、本発明の第１の態様又は第２の態様において、居室親機の設定部にて設定される設定重要度情報は、自動放送装置にて受信される管理室親機からの放送信号による識別重要度情報又は外部送信装置からの放送信号による識別重要度情報の相違に対応させた重度度に区分されるものである。
【００１１】
また、本発明の第５の態様である集合住宅インターホンシステムは、本発明の第１の態様乃至第４の態様のうち何れか１の態様において、外部送信装置からの放送信号は、気象庁等の情報提供機関から配信される緊急地震情報である。緊急地震情報の重要度は、地震の震度に比例して高くなるものである。
【発明の効果】
【００１２】
本発明の集合住宅インターホンシステムによれば、自居室親機が希望する一斉放送の重要度を、日中、夜間帯等の時系列に対応させて区分することができるばかりでなく、一斉放送元である管理室親機又は外部送信装置の相違に対応させて区分することができる。
【００１３】
また、本発明の集合住宅インターホンシステムによれば、制御機の自動放送装置の制御により居室親機の報知部にて一斉放送を行うにあたって、居室ＣＰＵは、設定部にて設定された自居室親機が希望する一斉放送の設定重要度情報と、管理室親機からの放送信号の識別重要度情報又は外部送信装置からの放送信号として例えば、地震の震度に比例して重要度が高くなる識別重要度情報とを照合し、識別重要度情報の重要度が設定重要度情報の重要度と比較して低い場合に、報知部での一斉放送の動作を無効にする、或いは報知部での出力音量を低下させることができる。これにより、例えば、居住者が就寝中の夜間帯において、重要度が低いとされる震度の小さな地震について一斉放送を行うにあたっては、居住者に不快感を与えずに一斉放送を行うことができるように当該居住者の希望に対応させた一斉放送が可能となる。
【００１４】
さらに、本発明の集合住宅インターホンシステムによれば、制御機の自動放送装置の制御により居室親機の報知部にて一斉放送を行うにあたって、居室ＣＰＵは、設定部にて設定された自居室親機が希望する一斉放送の設定重要度情報と、管理室親機からの放送信号の識別重要度情報又は外部送信装置からの放送信号として例えば、地震の震度に比例して重要度が高くなる識別重要度情報とを照合し、識別重要度情報の重要度が設定重要度情報の重要度と比較して高く、センサにて検知されたセキュリティ異常の重要度情報の重要度と比較しても高い場合に、報知部での警報発報の動作を停止させて一斉放送の動作に切り換えることができる。これにより、火災、ガス漏れ等のセキュリティ異常が発生している場合であっても一斉放送が可能となる。
【発明を実施するための最良の形態】
【００１５】
以下、本発明の集合住宅インターホンシステムを適用した最良の実施の形態例について、図面を参照して説明する。
【００１６】
図１は、本発明の実施例による集合住宅インターホンシステムの全体構成を示すシステム説明図である。同図に示す集合住宅インターホンシステムは、マンション等の集合住宅に設置されるものであり、集合玄関に設置される集合玄関機１と、複数の住戸にそれぞれ設置される居室親機２ａ、２ｂ、２ｃ、・・・と、管理室に設置される管理室親機３と、気象庁等の情報提供機関に設置される外部送信装置４と、ＩＳＤＮ、ＡＤＳＬ、光等の各種のインターネット回線網や電話回線等の一般公衆回線により構成される汎用ネットワーク５と、玄関ラインＬ1を経由して接続された集合玄関機１、居室ラインＬ2を経由してバス接続された居室親機２ａ、２ｂ、２ｃ、・・・、管理室ラインＬ3を経由して接続された管理室親機３をそれぞれ制御するとともに、汎用ネットワーク５を経由して接続された外部送信装置４からのデータ受信を行う制御機６と、居室親機２ａ、２ｂ、２ｃ、・・・にそれぞれ少なくとも１つ接続可能、ここでは、１つずつ接続され、火災、ガス漏れ等の住戸内にて発生したセキュリティ異常を検知するためのセンサ７とが設けられている。
【００１７】
なお、図１において、居室親機２ａ、２ｂ、２ｃ、・・・及び制御機６の間の接続の態様は、居室ラインＬ2によるバス接続に限定されるものではなく、例えば、居室ラインＬ2に居室親機２ａ、２ｂ、２ｃ、・・・を渡り配線で接続することもできる。また、居室親機２ａ、２ｂ、２ｃ、・・・に接続されるセンサ７は、１台に限定されるものではなく、複数台接続することもできる。
【００１８】
図１において、集合玄関機１には、集合玄関に居る来訪者が複数の住戸のうち特定の住戸内に在室中の居住者（以下、特定の居住者という。）又は管理室内に在室中の管理人を呼び出して通話を成立させるための呼出・通話機能と、呼出操作を行った来訪者の映像や集合玄関の周囲近傍の映像（監視映像を含む。）等を撮像するための映像撮像機能とが備えられている。また、管理室親機３には、来訪者又は特定の居住者からの呼び出しに管理人が応答して通話を成立させるための呼出応答・通話機能と、管理人が特定の居住者を呼び出して通話を成立させるための呼出・通話機能と、全ての居住者に対して一斉放送を行うための放送信号（以下、管理室入力放送信号という。）を生成する一斉放送入力機能とが備えられている。なお、本発明の実施例において、集合玄関機１及び管理室親機３の具体的な構成の説明はそれぞれ、省略するものとする。
【００１９】
図２（ａ）は、制御機６の具体的な構成を示すブロック図である。この制御機６には、自動放送装置６００、玄関側制御機Ｉ／Ｆ（インターフェース）６０１、居室側制御機Ｉ／Ｆ６０２、管理室側制御機Ｉ／Ｆ６０３、ネットワーク側制御機Ｉ／Ｆ６０４及び制御機ＣＰＵ６０５が備えられている。なお、制御機６の構成各部のうち、自動放送装置６００及び制御機ＣＰＵ６０５についてはそれぞれ、図１の当該制御機に図示するものとする。
【００２０】
この制御機６において、自動放送装置６００は、管理室親機３からの管理室入力放送信号又は外部送信装置４から汎用ネットワーク５を経由して伝送されてくる一斉放送を行うための放送信号（以下、外部入力放送信号という。）を受信して、全ての居室親機２ａ、２ｂ、２ｃ、・・・にて一斉放送を行うためのものであり、当該制御機の機器内部に設けられている。なお、自動放送装置６００は、制御機６の機器内部に設けられる態様に限定されるものではなく、例えば、機器外部に設けることもできる。
【００２１】
玄関側制御機Ｉ／Ｆ６０１は、制御機ＣＰＵ６０５及び玄関ラインＬ1の間の信号伝送路を形成するためのものである。また、居室側制御機Ｉ／Ｆ６０２は、制御機ＣＰＵ６０５及び居室ラインＬ2の間の信号伝送路を形成するためのものである。また、管理室側制御機Ｉ／Ｆ６０３は、制御機ＣＰＵ６０５及び管理室ラインＬ3の間の信号伝送路を形成するためのものである。さらに、ネットワーク側制御機Ｉ／Ｆ６０４は、制御機ＣＰＵ６０５及び汎用ネットワーク５の間の信号伝送路を形成するためのものである。
【００２２】
制御機ＣＰＵ６０５は、当該制御機の構成各部及びシステム全体を制御するためのものであり、具体的な制御としては、管理室親機３からの管理室入力放送信号に付加される一斉放送の重要度又は外部送信装置４からの外部入力放送信号に付加される一斉放送の重要度を識別し、識別された識別重要度情報を、当該一斉放送の開始時に全ての居室親機２ａ、２ｂ、２ｃ、・・・に送信することができる。
【００２３】
次に、図１に示す居室親機２ａ、２ｂ、２ｃ、・・・はそれぞれ、同様な構成で個別の居室ＩＤ（詳述せず。）を有しており、来訪者又は管理人からの呼び出しに居住者が応答して通話を成立させるための呼出応答・通話機能と、管理室親機３からの一斉放送又は外部送信装置４からの一斉放送を行うための一斉放送発報機能と、集合玄関機１の映像撮像機能にて撮像された映像を出画するための映像出画機能と、自住戸又は近隣住戸のセンサ７にて検知されたセキュリティ異常を警報発報するための警報発報機能とが備えられている。
【００２４】
図２（ｂ）は、居室親機２ａ、２ｂ、２ｃ、・・・の具体的な構成を示すブロック図である。この居室親機２ａ、２ｂ、２ｃ、・・・には、居室スピーカ２００、居室マイク２０１、ハンドセット２０２、スピーカアンプ２０３、マイクアンプ２０４、ハンドセットマイクアンプ２０５、レシーバアンプ２０６、モニタ２０７、操作部２０８、設定部２０９、記憶部２１０、制御機側居室Ｉ／Ｆ２１１、センサ側居室Ｉ／Ｆ２１２及び居室ＣＰＵ２１３が備えられている。なお、居室親機２ａ、２ｂ、２ｃ、・・・の構成各部のうち、居室スピーカ２００、居室マイク２０１、ハンドセット２０２、モニタ２０７、操作部２０８、設定部２０９及び居室ＣＰＵ２１３についてはそれぞれ、図１の当該居室親機に図示するものとする。
【００２５】
この居室親機２ａ、２ｂ、２ｃ、・・・において、居室スピーカ２００は、来訪者又は管理人からの呼び出しがある旨の呼出データ（呼出音、音声メッセージ等）を出力するための呼出発報機能と、管理室親機３からの一斉放送の内容又は外部送信装置４からの一斉放送の内容を出力するための一斉放送機能と、居住者が来訪者又は管理人との間で拡声通話を成立させるにあたり当該来訪者による受話音声データ又は当該管理人による受話音声データを出力するための拡声通話機能と、自住戸又は近隣住戸のセンサ７にて検知されたセキュリティ異常を示す警報データ（警報音、音声メッセージ等）を出力するための警報発報機能とが備えられている。また、居室マイク２０１は、前述の居室スピーカ２００とともに居住者が来訪者又は管理人との間で拡声通話を成立させるにあたり使用する拡声通話機能を構成し、居住者による送話音声データが入力されるものである。また、ハンドセット２０２は、来訪者又は管理人からの呼び出しに居住者が応答してハンドセット通話を成立させるにあたり使用するハンドセット通話機能を構成し、居住者による送話音声データが入力されるマイク２０２ａと、来訪者又は管理人による受話音声データが出力されるレシーバ２０２ｂとが備えられている。
【００２６】
スピーカアンプ２０３は、居室ＣＰＵ２１３により増幅利得が制御され、居室スピーカ２００から出力させる呼出データ（呼出音、音声メッセージ等）の音量、一斉放送データ（報知音、音声メッセージ等）の音量、受話音声データの音量、及び警報データ（警報音、音声メッセージ等）の音量をそれぞれ増幅するためのものである。また、居室マイクアンプ２０４は、居室ＣＰＵ２１３により増幅利得が制御され、居室マイク２０１に入力された送話音声データの音量を増幅するためのものである。また、ハンドセットマイクアンプ２０５は、居室ＣＰＵ２１３により増幅利得が制御され、ハンドセット２０２のマイク２０２ａに入力された送話音声データの音量を増幅するためのものである。さらに、レシーバアンプ２０６は、居室ＣＰＵ２１３により増幅利得が制御され、ハンドセット２０２のレシーバ２０２ｂから出力させる受話音声データの音量を増幅するためのものである。
【００２７】
モニタ２０７は、居室ＣＰＵ２１３により制御され、集合玄関機１の映像撮像機能にて撮像された映像を出画するための映像出画機能と、来訪者又は管理人からの呼び出しがある旨の呼出メッセージ、絵データ等を表示するための呼出表示機能と、管理室親機３からの一斉放送の内容又は外部入力装置４からの一斉放送の内容を表示するための一斉放送表示機能と、自住戸又は近隣住戸のセンサ７にて検知されたセキュリティ異常を示す警報メッセージ、絵データ等を表示するための警報表示機能とが備えられており、例えば、ＬＣＤ、ＰＤＰ、ＳＥＤ、有機ＥＬディスプレイ等の各種の出画表示媒体が好適とされる。
【００２８】
操作部２０８は、居室ＣＰＵ２１３により操作検出され、居室スピーカ２００及び居室マイク２０１の使用による拡声通話を成立させるために居住者が行う応答操作機能と、成立中の拡声通話を終了させるために居住者が行う終話操作機能と、モニタ２０７を出画状態にするための出画操作機能とが備えられており、例えば、モニタ２０７の前面に配置されたタッチパネル上に設けられる操作機能毎に割り当てられた各種の押圧ボタンが好適とされる。また、設定部２０９は、居室ＣＰＵ２１３により操作検出され、自居室親機が希望する一斉放送の重要度を設定するための機能が備えられており、例えば、モニタ２０７の前面に配置されたタッチパネル上に設けられる押圧ボタンが好適とされる。なお、操作部２０８及び操作部２０９としては、操作機能毎に割り当てられた各種の押圧ボタンを、モニタ２０７の前面に配置されたタッチパネル上ではなく、当該居室親機の筐体前面部に設けることができるばかりでなく、操作部２０８及び操作部２０９を一体で設けることもできる。
【００２９】
記憶部２１０は、居室ＣＰＵ２１３により書込／読出制御され、設定部２０９にて設定された自居室親機が希望する一斉放送の重要度を示す設定重要度情報を記憶するためのものであり、例えば、ＲＡＭ、ＥＥＰＲＯＭ等の各種の記憶媒体が好適とされる。
【００３０】
制御機側居室Ｉ／Ｆ２１１は、居室ラインＬ2からスピーカアンプ２０３又はレシーバアンプ２０６への信号伝送路と、マイクアンプ２０４又はハンドセットマイクアンプ２０５から居室ラインＬ2への信号伝送路と、居室ラインＬ2からモニタ２０７への信号伝送路と、居室ＣＰＵ２１３及び居室ラインＬ2の間の信号伝送路とをそれぞれ形成するためのものである。また、センサ側居室Ｉ／Ｆ２１２は、センサ７から居室ＣＰＵ２１３への信号伝送路を形成するためのものである。
【００３１】
居室ＣＰＵ２１３は、当該居室親機の構成各部を制御するためのものである。具体的な制御としては、記憶部２１０に予め記憶された設定重要度情報と制御機６から伝送されてくる識別重要度情報とを照合し、識別重要度情報の当該重要度が設定重要度情報の当該重要度と比較して低い場合に、居室スピーカ２００及びモニタ２０７の使用による一斉放送の動作を無効にする、或いはスピーカアンプ２０３の増幅利得を制御して居室スピーカ２００からの出力音量を低下させることができる。また、居室ＣＰＵ２１３は、記憶部２１０に予め記憶された設定重要度情報と制御機６から伝送されてくる識別重要度情報とを照合し、識別重要度情報の当該重要度が設定重要度情報の当該重要度と比較して高く、センサ７にて検知されたセキュリティ異常の重要度情報の当該重要度と比較しても高い場合に、居室スピーカ２００及びモニタ２０７の使用による警報発報の動作を停止させて一斉放送の動作に切り換えることができる。
【００３２】
このように構成された本発明の実施例による集合住宅インターホンシステムにおいて、以下、具体的な動作について説明する。なお、本発明の実施例において、集合玄関に居る来訪者が特定の居住者又は管理人を呼び出して通話を成立させる動作と、特定の居住者が管理人を呼び出して通話を成立させる動作とはそれぞれ、マンション等の集合住宅に設置される各種の集合住宅インターホンシステムにおいて公知の技術事項であるため、説明は省略するものとする。
【００３３】
最初に、図１、図２（ｂ）に示す居室親機２ａ、２ｂ、２ｃ、・・・が設置された住戸内に在室中の居住者はそれぞれ、居室スピーカ２００及びモニタ２０７の使用により行われる一斉放送として、その内容を希望するための重要度を、設定部２０９にて設定することができる。
【００３４】
具体的な設定として、管理室親機３からの一斉放送の内容、例えば、「集合住宅内の清掃のお知らせ」や「集合住宅内の点検による停電のお知らせ」の一斉放送については、日中、夜間帯等の時系列の相違を問わずして、その一斉放送の重要度と閾値となる所定の重要度との対比を行い、この対比結果をもとに、一斉放送の重要度が閾値の重要度よりも高い場合には、居室親機２ａ、２ｂ、２ｃ、・・・の居室スピーカ２００及びモニタ２０７の使用による一斉放送の動作を有効にする一方、一斉放送の重要度が閾値の重要度よりも低い場合には、居室スピーカ２００及びモニタ２０７の使用による一斉放送の動作を無効にする、或いは居室スピーカ２００からの出力音量を低下させるための設定重要度情報「ＬevelＡ」を設定し、この設定重要度情報「ＬevelＡ」を、居室ＣＰＵ２１３の制御により記憶部２１０に記憶させることができる。
【００３５】
また、「日中において発生した地震の震度」として例えば、「震度１」が閾値となり、その震度以下、すなわち、「日中における震度１以下の地震発生の予告警報」については、居室親機２ａ、２ｂ、２ｃ、・・・のうち例えば、居室親機２ａの居室スピーカ２００及びモニタ２０７の使用による一斉放送の動作を無効にする、或いは居室スピーカ２００からの出力音量を低下させる一方、「日中における震度２以上の地震発生の予告警報」については、居室スピーカ２００及びモニタ２０７の使用による一斉放送の動作を有効にする旨の設定重要度情報「ＬevelＢ」を設定し、この設定重要度情報「ＬevelＢ」を、居室ＣＰＵ２１３の制御により記憶部２１０に記憶させることができる。
【００３６】
また、「夜間帯において発生した地震の震度」として例えば、「震度３」が閾値となり、その震度以下、すなわち、「夜間帯における震度３以下の地震発生の予告警報」については、居室親機２ａ、２ｂ、２ｃ、・・・のうち例えば、居室親機２ａの居室スピーカ２００及びモニタ２０７の使用による一斉放送の動作を無効にする、或いは居室スピーカ２００からの出力音量を低下させる一方、「夜間帯における震度４以上の地震発生の予告警報」については、居室スピーカ２００及びモニタ２０７の使用による一斉放送の動作を有効にする旨の設定重要度情報「ＬevelＣ」を設定し、この設定重要度情報「ＬevelＣ」を、居室ＣＰＵ２１３の制御により記憶部２１０に記憶させることができる。
【００３７】
さらに、「センサ７の機器異常のお知らせ」については、日中、夜間帯等の時系列の相違を問わずして、居室親機２ａ、２ｂ、２ｃ、・・・の居室スピーカ２００及びモニタ２０７の使用による一斉放送の動作を無効にする、或いは居室スピーカ２００からの出力音量を低下させる一方、「センサ７にて火災、ガス漏れ等のセキュリティ異常が発生したことのお知らせ」については、日中、夜間帯等の時系列の相違を問わずして、居室スピーカ２００及びモニタ２０７の使用による一斉放送の動作を有効にする旨の設定重要度情報「ＬevelＤ」を設定し、この設定重要度情報「ＬevelＤ」を、居室ＣＰＵ２１３の制御により記憶部２１０に記憶させることができる。
【００３８】
次に、前述のような一斉放送の内容を希望する複数の設定重要度情報「ＬevelＡ、ＬevelＢ、ＬevelＣ、ＬevelＤ」の設定が予め行われた後の動作について、以下、第１乃至第６の各動作として説明する。
【００３９】
第１の動作として、日中に震度４の地震が発生した場合の動作について説明する。この地震が発生すると、図１に示す外部送信装置４は、震度４を示す重要度、例えば、「Ｌevel４」を付加した外部入力放送信号Ｓ1を生成し、汎用ネットワーク５、図２（ａ）に示す制御機６のネットワーク側制御機Ｉ／Ｆ６０４を経由して制御機ＣＰＵ６０５に送出する。
【００４０】
図２（ａ）に示す制御機６において、制御機ＣＰＵ６０５は、受信した外部入力放送信号Ｓ1の重要度、すなわち、識別重要度情報「Ｌevel４」を付加した情報通知信号Ｓ1aを生成し、居室側制御機Ｉ／Ｆ６０２、居室ラインＬ2、図２（ｂ）に示す全ての居室親機２ａ、２ｂ、２ｃ、・・・の制御機側居室Ｉ／Ｆ２１１を経由して居室ＣＰＵ２１３にそれぞれ送出するのと同時に、自動放送装置６００を制御して、例えば、「〇秒後に、震度４の地震がくる」といった内容の一斉放送信号Ｓ1bを生成させ、前述の情報通知信号Ｓ1aと同一の信号伝送路を経由して全ての居室親機２ａ、２ｂ、２ｃ、・・・の居室ＣＰＵ２１３にそれぞれ送出する。
【００４１】
図２（ｂ）に示す全ての居室親機２ａ、２ｂ、２ｃ、・・・において、居室ＣＰＵ２１３はそれぞれ、受信した情報通知信号Ｓ1a及び一斉放送信号Ｓ1bのうち、情報通知信号Ｓ1aに付加されている識別重要度情報「Ｌevel４」と記憶部２１０に予め記憶されている複数の設定重要度情報「ＬevelＡ、ＬevelＢ、ＬevelＣ、ＬevelＤ」のうち日中の地震発生に予告警報についての一斉放送の重要度に該当する設定重要度情報「ＬevelＢ」とを照合する。ここで、前述した居室親機２ａにおいては、識別重要度情報「Ｌevel４」の重要度を示す「震度４」が設定重要度情報「ＬevelＢ」の重要度を示す「震度１」と比較して大きいため、これを検出した居室ＣＰＵ２１３は、スピーカアンプ２０３を大きな増幅利得で動作するように制御し、例えば、「ブーブー、〇秒後に震度４の地震がきます。慌てずに対応して下さい。」といった内容の警報データ（警報音、音声メッセージ等）を、大きな音量で居室スピーカ２００から出力させるとともに、同様な内容の文字メッセージや絵データ等をモニタ２０７に表示させて一斉放送を行うことにより、日中における住戸内に在室中の居住者にとっては、その一斉放送の内容を的確に確認することができ、火の使用を中止する等、迅速な対応が可能となる。
【００４２】
次に、第２の動作として、日中に震度１の地震が発生した場合の動作について説明する。この地震が発生すると、図１に示す外部送信装置４は、震度１を示す重要度、例えば、前述の重要度「Ｌevel４」とは異なる「Ｌevel１」を付加した外部入力放送信号Ｓ2を生成し、前述の外部入力放送信号Ｓ1と同一の信号伝送路を経由して図２（ａ）に示す制御機６の制御機ＣＰＵ６０５に送出する。
【００４３】
図２（ａ）に示す制御機６において、制御機ＣＰＵ６０５は、受信した外部入力放送信号Ｓ2の重要度、すなわち、識別重要度情報「Ｌevel１」を付加した情報通知信号Ｓ2aを生成し、前述の情報通知信号Ｓ1aと同一の信号伝送路を経由して図２（ｂ）に示す全ての居室親機２ａ、２ｂ、２ｃ、・・・の居室ＣＰＵ２１３にそれぞれ送出するのと同時に、自動放送装置６００を制御して、例えば、「〇秒後に、震度１の地震がくる」といった内容の一斉放送信号Ｓ2bを生成させ、前述の一斉放送信号Ｓ1bと同一の信号伝送路を経由して全ての居室親機２ａ、２ｂ、２ｃ、・・・の居室ＣＰＵ２１３にそれぞれ送出する。
【００４４】
図２（ｂ）に示す全ての居室親機２ａ、２ｂ、２ｃ、・・・において、居室ＣＰＵ２１３はそれぞれ、受信した情報通知信号Ｓ2a及び一斉放送信号Ｓ2bのうち、情報通知信号Ｓ2aに付加されている識別重要度情報「Ｌevel１」と記憶部２１０に予め記憶されている複数の設定重要度情報「ＬevelＡ、ＬevelＢ、ＬevelＣ、ＬevelＤ」のうち日中の地震発生の予告警報についての一斉放送の重要度に該当する設定重要度情報「ＬevelＢ」とを照合する。ここで、前述した居室親機２ａにおいては、識別重要度情報「Ｌevel１」の重要度を示す「震度１」が設定重要度情報「ＬevelＢ」の重要度を示す「震度１」と比較して同一であるため、これを検出した居室ＣＰＵ２１３は、スピーカアンプ２０３及びモニタ２０７をそれぞれ駆動せずに一斉放送を無効にする制御、或いはスピーカアンプ２０３を小さな増幅利得で動作するように制御し、例えば、「ブーブー、〇秒後に震度１の地震がきます。」といった内容の警報データ（警報音、音声メッセージ等）を、小さな音量で居室スピーカ２００から出力させるとともに、同様な内容の文字メッセージや絵データ等をモニタ２０７に表示させて一斉放送を行う制御のうち何れかの制御を行うことにより、日中における住戸内に在室中の居住者にとっては、その一斉放送を確認せずに済む、或いは不快を感じずに一斉放送の内容を的確に確認することができる。
【００４５】
次に、第３の動作として、夜間帯に震度５の地震が発生した場合の動作について説明する。この地震が発生すると、図１に示す外部送信装置４は、震度５を示す重要度、例えば、前述の重要度「Ｌevel４、Ｌevel１」とは異なる「Ｌevel５」を付加した外部入力放送信号Ｓ3を生成し、前述の外部入力放送信号Ｓ1、Ｓ2と同一の信号伝送路を経由して図２（ａ）に示す制御機６の制御機ＣＰＵ６０５に送出する。
【００４６】
図２（ａ）に示す制御機６において、制御機ＣＰＵ６０５は、受信した外部入力放送信号Ｓ3の重要度、すなわち、識別重要度情報「Ｌevel５」を付加した情報通知信号Ｓ3aを生成し、前述の情報通知信号Ｓ1a、Ｓ2aと同一の信号伝送路を経由して図２（ｂ）に示す全ての居室親機２ａ、２ｂ、２ｃ、・・・の居室ＣＰＵ２１３にそれぞれ送出するのと同時に、自動放送装置６００を制御して、例えば、「〇秒後に、震度５の地震がくる」といった内容の一斉放送信号Ｓ3bを生成させ、前述の一斉放送信号Ｓ1b、Ｓ2bと同一の信号伝送路を経由して全ての居室親機２ａ、２ｂ、２ｃ、・・・の居室ＣＰＵ２１３にそれぞれ送出する。
【００４７】
図２（ｂ）に示す全ての居室親機２ａ、２ｂ、２ｃ、・・・において、居室ＣＰＵ２１３はそれぞれ、受信した情報通知信号Ｓ3a及び一斉放送信号Ｓ3bのうち、情報通知信号Ｓ3aに付加されている識別重要度情報「Ｌevel５」と記憶部２１０に予め記憶されている複数の設定重要度情報「ＬevelＡ、ＬevelＢ、ＬevelＣ、ＬevelＤ」のうち夜間帯の地震発生の予告警報についての一斉放送の重要度に該当する設定重要度情報「ＬevelＣ」とを照合する。ここで、前述した居室親機２ａにおいては、識別重要度情報「Ｌevel５」の重要度を示す「震度５」が設定重要度情報「ＬevelＣ」の重要度を示す「震度３」と比較して大きいため、これを検出した居室ＣＰＵ２１３は、前述の第１の動作と同様、スピーカアンプ２０３を大きな増幅利得で動作するように制御し、例えば、「ブーブー、〇秒後に震度５の地震がきます。慌てずに対応して下さい。」といった内容の警報データ（警報音、音声メッセージ等）を、大きな音量で居室スピーカ２００から出力させるとともに、同様な内容の文字メッセージや絵データ等をモニタ２０７に表示させて一斉放送を行うことにより、夜間帯における住戸内に在室中の居住者にとっては、例えば、就寝中であっても一斉放送の内容を的確に確認することができ、火の使用を中止する等、迅速な対応が可能となる。
【００４８】
次に、第４の動作として、夜間帯に震度２の地震が発生した場合の動作について説明する。この地震が発生すると、図１に示す外部送信装置４は、震度２を示す重要度、例えば、前述の重要度「Ｌevel４、Ｌevel１、Ｌevel５」とは異なる「Ｌevel２」を付加した外部入力放送信号Ｓ4を生成し、前述の外部入力放送信号Ｓ1、Ｓ2、Ｓ3と同一の信号伝送路を経由して図２（ａ）に示す制御機６の制御機ＣＰＵ６０５に送出する。
【００４９】
図２（ａ）に示す制御機６において、制御機ＣＰＵ６０５は、受信した外部入力放送信号Ｓ4の重要度、すなわち、識別重要度情報「Ｌevel２」を付加した情報通知信号Ｓ4aを生成し、前述の情報通知信号Ｓ1a、Ｓ2a、Ｓ3aと同一の信号伝送路を経由して図２（ｂ）に示す全ての居室親機２ａ、２ｂ、２ｃ、・・・の居室ＣＰＵ２１３にそれぞれ送出するのと同時に、自動放送装置６００を制御して、例えば、「〇秒後に、震度２の地震がくる」といった内容の一斉放送信号Ｓ4bを生成させ、前述の一斉放送信号Ｓ1b、Ｓ2b、Ｓ3bと同一の信号伝送路を経由して全ての居室親機２ａ、２ｂ、２ｃ、・・・の居室ＣＰＵ２１３にそれぞれ送出する。
【００５０】
図２（ｂ）に示す全ての居室親機２ａ、２ｂ、２ｃ、・・・において、居室ＣＰＵ２１３はそれぞれ、受信した情報通知信号Ｓ4a及び一斉放送信号Ｓ4bのうち、情報通知信号Ｓ4aに付加されている識別重要度情報「Ｌevel２」と記憶部２１０に予め記憶されている複数の設定重要度情報「ＬevelＡ、ＬevelＢ、ＬevelＣ、ＬevelＤ」のうち夜間帯の地震発生の予告警報についての一斉放送の重要度に該当する設定重要度情報「ＬevelＣ」とを照合する。ここで、前述した居室親機２ａにおいては、識別重要度情報「Ｌevel２」の重要度を示す「震度２」が設定重要度情報「ＬevelＣ」の重要度を示す「震度３」と比較して小さいため、これを検出した居室ＣＰＵ２１３は、前述の第２の動作と同様、スピーカアンプ２０３及びモニタ２０７をそれぞれ駆動せずに一斉放送を無効にする制御、或いはスピーカアンプ２０３を小さな増幅利得で動作するように制御し、例えば、「ブーブー、〇秒後に震度２の地震がきます。」といった内容の警報データ（警報音、音声メッセージ等）を、小さな音量で居室スピーカ２００から出力させるとともに、同様な内容の文字メッセージや絵データ等をモニタ２０７に表示させて一斉放送を行う制御のうち何れかの制御を行うことにより、夜間帯における住戸内に在室中の居住者にとっては、例えば、就寝中に一斉放送を確認せずに済む、或いは就寝前であっても不快を感じずに一斉放送の内容を的確に確認することができる。
【００５１】
次に、第５の動作として、集合住宅内の停電のお知らせを一斉放送する動作について説明する。図１に示す管理室親機３は、集合住宅内の停電のお知らせを一斉放送するにあたり、日中、夜間帯等の時系列の相違を問わずして、その重要度、例えば、「ＬevelＥ」を設定することができる。この識別重要度情報「ＬevelＥ」は、一斉放送の内容を示す管理室入力放送信号Ｓ5に付加され、管理室ラインＬ3、図２（ａ）に示す制御機６の管理室側制御機Ｉ／Ｆ６０３を経由して制御機ＣＰＵ６０５に伝送される。
【００５２】
図２（ａ）に示す制御機６において、制御機ＣＰＵ６０５は、受信した管理室入力放送信号Ｓ5の重要度、すなわち、識別重要度情報「ＬevelＥ」を付加した情報通知信号Ｓ5aを生成し、前述の情報通知信号Ｓ1ａ、Ｓ2a、Ｓ3a、Ｓ4aと同一の信号伝送路を経由して図２（ｂ）に示す全ての居室親機２ａ、２ｂ、２ｃ、・・・の居室ＣＰＵ２１３にそれぞれ送出するのと同時に、自動放送装置６００を制御して、例えば、「〇月×日Δ時、集合住宅内の停電のお知らせ」といった内容の一斉放送信号Ｓ5bを生成させ、前述の一斉放送信号Ｓ1b、Ｓ2b、Ｓ3b、Ｓ4bと同一の信号伝送路を経由して全ての居室親機２ａ、２ｂ、２ｃ、・・・の居室ＣＰＵ２１３にそれぞれ送出する。
【００５３】
図２（ｂ）に示す全ての居室親機２ａ、２ｂ、２ｃ、・・・において、居室ＣＰＵ２１３はそれぞれ、制御機６の制御機ＣＰＵ６０５から伝送されてきた情報通知信号Ｓ5a及び一斉放送信号Ｓ5bのうち、情報通知信号Ｓ5aに付加されている識別重要度情報「ＬevelＥ」と記憶部２１０に予め記憶されている複数の設定重要度情報「ＬevelＡ、ＬevelＢ、ＬevelＣ、ＬevelＤ」のうち管理室親機３からの一斉放送の重要度に該当する設定重要度情報「ＬevelＡ」とを照合する。ここで、識別重要度情報「ＬevelＥ」の重要度が設定重要度情報「ＬevelＡ」の重要度と比較して高い場合、これを検出した居室ＣＰＵ２１３はそれぞれ、スピーカアンプ２０３を大きな増幅利得で動作するように制御し、例えば、「ピンポンパンポン、〇月×日Δ時に集合住宅内は停電となります。お気をつけ下さい。」といった確認データ（報知音、音声メッセージ等）を、大きな音量で居室スピーカ２００から出力させるとともに、同様な内容の文字メッセージや絵データ等をモニタ２０７に表示させて一斉放送を行うことができる。一方、識別重要度情報「ＬevelＥ」の重要度が設定重要度情報「ＬevelＡ」の重要度と比較して低い場合、これを検出した居室ＣＰＵ２１３はそれぞれ、スピーカアンプ２０３を小さな増幅利得で動作するように制御し、例えば、「ピンポンパンポン、○月×日△時に集合住宅内は停電となります。お気をつけ下さい。」といった確認データ（報知音、音声メッセージ等）を、小さな音量で居室スピーカ２００から出力させるとともに、同様な内容の文字メッセージや絵データ等をモニタ２０７に表示させて一斉放送を行うことにより、住戸内に在室中の居住者にとっては、日中、夜間帯等の時系列の相違を問わずして、集合住宅内の停電のお知らせを、その重要度に応じた異なる報知手段をもとに的確に確認することができる。
【００５４】
なお、前述の第５の動作においては、管理室親機３からの一斉放送として、集合住宅内の停電のお知らせを一斉放送する動作について説明したが、この内容に限定されるものではない。例えば、集合住宅内の清掃のお知らせを一斉放送する場合においても、この一斉放送の信号に付加される識別重要度情報「ＬevelＥ」の重要度が設定重要度情報「ＬevelＡ」の重要度と比較して高い場合には、これを検出した全ての居室親機２ａ、２ｂ、２ｃ、・・・の居室ＣＰＵ２１３はそれぞれ、スピーカアンプ２０３を大きな増幅利得で動作するように制御し、例えば、「ピンポンパンポン、○月×日△時に集合住宅内の清掃を行います。」といった確認データ（報知音、音声メッセージ等）を、大きな音量で居室スピーカ２００から出力させるとともに、同様な内容の文字メッセージや絵データ等をモニタ２０７に表示させて一斉放送を行うことができる。一方、識別重要度情報「ＬevelＥ」の重要度が設定重要度情報「ＬevelＡ」の重要度と比較して低い場合には、これを検出した全ての居室親機２ａ、２ｂ、２ｃ、・・・の居室ＣＰＵ２１３はそれぞれ、スピーカアンプ２０３を小さな増幅利得で動作するように制御し、例えば、「ピンポンパンポン、○月×日△時に集合住宅内の清掃を行います。」といった確認データ（報知音、音声メッセージ等）を、小さな音量で居室スピーカ２００から出力させるとともに、同様な内容の文字メッセージや絵データ等をモニタ２０７に表示させて一斉放送を行うことにより、住戸内に在室中の居住者にとっては、日中、夜間帯等の時系列の相違を問わずして、集合住宅内の清掃のお知らせを、その重要度に応じた異なる報知手段をもとに的確に確認することができる。
【００５５】
なお、前述の第５の動作においては、「集合住宅内の清掃のお知らせ」や「集合住宅内の点検による停電のお知らせ」についての重要度に差異をもたせることもできる。例えば、「集合住宅内の点検による停電のお知らせ」の重要度を、「集合住宅内の清掃のお知らせ」の重要度と比較して高く設定することができる。
【００５６】
次に、第６の動作として、例えば、図１、図２（ｂ）に示す居室親機２ａに接続されているセンサ７にて火事の発生が検知された場合の動作と、このセンサ７が機器異常となった場合の動作についてそれぞれ説明する。
【００５７】
図２（ｂ）に示す居室親機２ａにおいて、居室ＣＰＵ２１３は、センサ７にて検知された火災の発生を検出すると、スピーカアンプ２０３を大きな増幅利得で動作するように制御し、例えば、「ブーブー、ブーブー、火災発生、火災発生、安全を確認して避難して下さい。」といった警報データ（警報音、確認メッセージ等）を、大きな音量で居室スピーカ２００から出力させるとともに、同様な内容の文字メッセージや絵データ等をモニタ２０７に表示させて警報発報を行うことにより、住戸内に在室中の居住者にとっては、その内容を的確に確認することができ、迅速な対応が可能となる。一方、センサ７の機器異常を検出すると、スピーカアンプ２０３及びモニタ２０７をそれぞれ駆動せずに警報発報を無効にする制御、或いはスピーカアンプ２０３を小さな増幅利得で動作するように制御し、例えば、「ブー、センサ故障中、センサ故障中。」といった警報データ（警報音、音声メッセージ等）を、小さな音量で居室スピーカ２００から出力させるとともに、同様な内容の文字メッセージや絵データ等をモニタ２０７に表示させて警報発報を行う制御のうち何れかの制御を行うことにより、住戸内に在室中の居住者にとっては、その内容を確認せずに済む、或いは、不快を感じずに的確に確認することができる。
【００５８】
ここで、前述の火災発生の警報発報が行われているとき、例えば、第１の動作のような情報通知信号Ｓ1a及び一斉放送信号Ｓ1bが、図２（ａ）に示す制御機６の制御機ＣＰＵ６０５から図２（ｂ）に示す居室親機２ａの居室ＣＰＵ２１３に伝送されてくると、この居室ＣＰＵ２１３は、情報通知信号Ｓ1aに付加されている識別重要度情報「Ｌevel４」の重要度が、記憶部２１０に予め記憶されている複数の設定重要度情報「ＬevelＡ、ＬevelＢ、ＬevelＣ、ＬevelＤ」のうち日中の地震発生の予告警報についての一斉放送の重要度に該当する設定重要度情報「ＬevelＢ」の重要度と比較して高く、設定重要度情報「ＬevelＤ」の重要度と比較しても高いと判断した場合、大きな増幅利得で動作させるスピーカアンプ２０３への制御は保持するものの、居室スピーカ２００からの出力内容を、例えば、「ブーブー、ブーブー、火災発生、火災発生、安全を確認して避難して下さい。」といった警報データ（警報音、確認メッセージ等）から例えば、「ブーブー、〇秒後に震度４の地震がきます。慌てずに対応して下さい。」といった警報データ（警報音、音声メッセージ等）に切り換えるとともに、モニタ２０７の表示内容についても同様に切り換えることにより、住戸内に在室中の居住者にとっては、火災の発生のみならず震度４の地震の発生を的確に確認することができ、火の使用を中止する等、迅速な対応が可能となる。
【００５９】
なお、本発明の実施例において、前述の設定重要度情報「ＬevelＡ、ＬevelＢ、ＬevelＣ、ＬevelＤ」はそれぞれ、居室親機２ａ、２ｂ、２ｃ、・・・毎に独立して設定できるため、同一の内容の一斉放送が出力する当該居室親機と一斉放送の出力が行われない当該居室親機とが存在することになる。
【００６０】
また、本発明の実施例においては、外部送信装置４を気象庁等の情報提供機関とし、この外部送信装置４からの外部入力放送信号の重要度を、地震の震度に比例して高くなるように設定したが、この態様に限定されるものではない。例えば、外部送信装置４からの外部入力放送信号の重要度の対象として津波の大きさを適用し、この津波の大きさに比例して重要度が高くなるように設定することもできる。また、外部送信装置４として、警備会社等の情報提供機関を適用することもできる。この外部送信装置４を適用するにあたっては、強盗、覗き、凶器の所持等の犯罪の種別に対応して異なる重要度を設定することができる。
【００６１】
最後に、本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【図面の簡単な説明】
【００６２】
【図１】図１は、本発明の実施例による集合住宅インターホンシステムの全体構成を示すシステム説明図である。
【図２】図２（ａ）は、本発明の実施例による集合住宅インターホンシステムにおいて、制御機の具体的な構成を示すブロック図である。また、図２（ｂ）は、本発明の実施例による集合住宅インターホンシステムにおいて、居室親機の具体的な構成を示すブロック図である。
【符号の説明】
【００６３】
１……集合玄関機
２ａ、２ｂ、２ｃ、・・・ ……居室親機
２００……居室スピーカ（報知部）
２０７……モニタ（報知部）
２０９……設定部
２１３……居室ＣＰＵ
３……管理室親機
４……外部送信装置
６……制御機
６００……自動放送装置
６０５……制御機ＣＰＵ
７……センサ
【図１】
0004901633.tif 000002
【図２】
0004901633.tif 000003